【手続補正書】
【提出日】平成24年5月23日(2012.5.23)
【手続補正１】
【補正対象書類名】特許請求の範囲
【補正対象項目名】全文
【補正方法】変更
【補正の内容】
【特許請求の範囲】
【請求項１】
無線通信システムの逆方向リンクでデータを送信する方法であって、
第１のスロットセットと第２のスロットセットとを含む第１のパケットの前記第１のスロットセットをアクセス端末によってアクセスネットワークに送信することと、
前記第１のパケットの前記第１のスロットセットが送信された直後に、第２のパケットの第１のスロットセットを前記アクセス端末によって前記アクセスネットワークに送信することと、
前記アクセスネットワークからの前記第１のパケットの前記第１のスロットセットの正しい又は正しくない解読にそれぞれ対応するアクノレッジメント（ＡＣＫ）又はネガティブ・アクノレッジメント（ＮＡＫ）が前記アクセス端末によって受信されたのかをアクセス端末によって判定することと、
ここにおいて、前記第１のパケットの前記第１のスロットセットは、前記第２のパケットの前記第１のスロットセットとは独立して、前記アクセスネットワークによって、アクノレッジされる、
前記ＡＣＫが受信された場合、前記アクセス端末によって、第３のパケットの第１のスロットセットを送信することと、
を備える方法。
【請求項２】
請求項１に記載の方法において更に、
前記ＮＡＫが受信された場合、前記アクセス端末によって、前記第１のパケットの前記第２のスロットセットを送信することを備える方法。
【請求項３】
請求項１に記載の方法において更に、
前記アクセスネットワークによって、前記第１のパケットの第１のスロットセットを受信することと、
前記アクセスネットワークによって、前記受信された第１のパケットの第１のスロットセットを解読するように試みることと、
前記アクセスネットワークによって、前記受信された第１のパケットの第１のスロットセットが正しく解読されたかを判定することと、
前記アクセスネットワークが前記受信された第１のパケットの第１のスロットセットを正しく解読した場合、前記アクセスネットワークによって、前記ＡＣＫを前記アクセス端末に送信することとを備える方法。
【請求項４】
請求項３に記載の方法において更に、
前記アクセスネットワークが前記受信された第１のパケットの第１のスロットセットを正しく解読しなかった場合、前記アクセスネットワークによって、前記ＮＡＫを前記アクセス端末に送信することを備える方法。
【請求項５】
無線通信システムの逆方向リンクでデータを送信する方法であって、
アクセス端末によって、第１のスロットセットと第２のスロットセットとを含む第１のパケットの前記第１のスロットセットをアクセスネットワークに送信することと、
前記第１のパケットの前記第１のスロットセットが送信された直後、第２のパケットの第１のスロットセットを前記アクセス端末によって前記アクセスネットワークに送信することと、
前記アクセスネットワークからの第１のパケットの第１のスロットセットの正しい又は正しくない解読に応じたアクノレッジメント（ＡＣＫ）又はネガティブなアクノレッジメント（ＮＡＫ）が前記アクセス端末によって受信されたかを前記アクセス端末によって判定することと、
ここにおいて、前記第１のパケットの前記第１のスロットセットは、前記第２のパケットの前記第１のスロットセットとは独立して、前記アクセスネットワークによって、アクノレッジされる、
前記ＮＡＫが受信された場合、前記アクセス端末によって、前記第１のパケットの第２のスロットセットを送信することと、
を備える方法。
【請求項６】
請求項５に記載の方法において更に、
前記第１のパケットの前記第１のスロットセットを前記アクセスネットワークによって受信することと、
前記受信された第１のパケットの第１のスロットセットを前記アクセスネットワークによって解読するように試みることと、
前記受信された第１のパケットの第１のスロットセットが正しく解読されたかを前記アクセスネットワークによって判定することと、
前記アクセスネットワークが、前記受信された第１のパケットの第１のスロットセットを正しく解読しなかった場合、前記アクセスネットワークによって、前記ＮＡＫを前記アクセス端末に送信することと
を備える方法。
【請求項７】
請求項６に記載の方法において更に、
前記アクセスネットワークが前記受信された第１のパケットの第１のスロットセットを正しく解読した場合、前記アクセスネットワークによって前記ＡＣＫを前記アクセス端末に送信することを備える方法。
【請求項８】
無線通信システムの逆方向リンクでデータを受信する方法であって、
アクセス端末からの、第１のスロットセットと第２のスロットセットとを含む第１のパケットの前記第１のスロットセットをアクセスネットワークによって受信することと、
前記第１のパケットの前記第１のスロットセットが受信された直後、前記アクセス端末からの第２のパケットの第１のスロットセットを前記アクセスネットワークによって受信することと、
前記受信された第１のパケットの第１のスロットセットの解読を前記アクセスネットワークによって試みることと、
前記受信された第１のパケットの第１のスロットセットが正しく解読されたかを前記アクセスネットワークによって判定することと、
前記アクセスネットワークが前記受信された第１のパケットの第１のスロットセットを正しく解読した場合、前記アクセスネットワークによってアクノレッジメント（ＡＣＫ）をアクセス端末に送信することと
を備え、
前記第１のパケットの前記第１のスロットセットは、前記第２のパケットの前記第１のスロットセットとは独立して、前記アクセスネットワークによって、アクノレッジされる、方法。
【請求項９】
請求項８に記載の方法において更に、
前記アクセスネットワークが前記受信された第１のパケットの第１のスロットセットを正しく解読しなかった場合、前記アクセスネットワークによってネガティブなアクノレッジメント（ＮＡＫ）を前記アクセス端末に送信することを備える方法。
【請求項１０】
請求項９に記載の方法において更に、
前記アクセス端末からの前記第１のパケットの前記第２のスロットセットを前記アクセスネットワークによって受信することと、
前記受信された第１のパケットの第１のスロットセットと、前記受信された第１のパケットの第２のスロットセットとの組み合わせの解読を前記アクセスネットワークによって試みることと
を備える方法。
【請求項１１】
請求項８に記載の方法において、前記ＡＣＫは、順方向リンクＡＣＫチャネル上で前記アクセスネットワークによって送信され、前記ＡＣＫは、逆方向リンク電力制御チャネルの位相に直交する位相で送信される方法。
【請求項１２】
アクセス端末であって、
第１のスロットセットと第２のスロットセットとを含む第１のパケットの前記第１のスロットセットを送信し、前記第１のパケットの前記第１のスロットセットが送信された直後に、第２のパケットの第１のスロットセットを送信し、前記第１のパケットの前記第１のスロットセットについてのアクノレッジメント（ＡＣＫ）又はネガティブなアクノレッジメント（ＮＡＫ）を受信するように構成された無線周波数ユニットと、
ここにおいて、前記第１のパケットの前記第１のスロットセットは、前記第２のパケットの前記第１のスロットセットとは独立して、前記アクセスネットワークによって、アクノレッジされる、
前記ＡＣＫ又は前記ＮＡＫが受信されたのかを判定するように構成されたロジック及び処理ユニットとを備え、
前記無線周波数ユニットは更に、前記ＡＣＫが受信された場合、第３のパケットの第１のスロットセットを送信し、前記ＮＡＫが受信された場合、前記第１のパケットの前記第２のスロットセットを送信するように構成される、アクセス端末。
【請求項１３】
アクセスネットワークであって、
第１のスロットセットと第２のスロットセットとを含む第１のパケットの前記第１のスロットセットを受信し、前記第１のパケットの前記第１のスロットセットが受信された直後、第２のパケットの第１のスロットを受信するように構成された無線周波数ユニットと、
前記受信された第１のパケットの第１のスロットセットを解読するように試み、前記受信された第１のパケットの第１のスロットセットが正しく解読されたかを判定するように構成されたロジック及び処理ユニットとを備え、
前記無線周波数ユニットは更に、前記ロジック及び処理ユニットが、前記第１のパケットを正しく解読した場合にアクノレッジメント（ＡＣＫ）を送信し、前記ロジック及び処理ユニットが、前記第１のパケットを正しく解読しなかった場合にネガティブなアクノレッジメント（ＮＡＫ）を送信するように構成され、
ここにおいて、前記第１のパケットの前記第１のスロットセットは、前記第２のパケットの前記第１のスロットセットとは独立して、前記アクセスネットワークによって、アクノレッジされる、アクセスネットワーク。
【請求項１４】
請求項１３に記載のアクセスネットワークにおいて、
前記無線周波数ユニットは更に、前記第１のパケットの前記第２のスロットセットを受信するように構成され、
前記ロジック及び処理ユニットは更に、前記受信された第１のパケットのスロットセットと、前記受信された第１のパケットの第２のスロットセットとの組み合わせを解読するように試みるアクセスネットワーク。
【請求項１５】
請求項１３に記載のアクセスネットワークにおいて、
前記無線周波数ユニットは更に、逆方向リンク電力制御チャネル上で逆方向リンク電力制御ビットを送信し、順方向リンクＡＣＫチャネル上で前記ＡＣＫ又は前記ＮＡＫを送信し、前記ＡＣＫ又はＮＡＫは前記逆方向リンク電力制御チャネルの位相に直交する位相で送信されるアクセスネットワーク。
【請求項１６】
第１のスロットセットと第２のスロットセットとを含む第１のパケットの前記第１のスロットセットをアクセスネットワークに送信する手段と、
前記第１のパケットの前記第１のスロットセットが送信された直後、第２のパケットの第１のスロットセットを前記アクセスネットワークに送信する手段と、
前記アクセスネットワークからの第１のパケットの第１のスロットセットの正しい又は正しくない解読に応じたアクノレッジメント（ＡＣＫ）又はネガティブなアクノレッジメント（ＮＡＫ）が受信されたのかを判定する手段と、
ここにおいて、前記第１のパケットの前記第１のスロットセットは、前記第２のパケットの前記第１のスロットセットとは独立して、前記アクセスネットワークによって、アクノレッジされ、
前記ＡＣＫが受信された場合、第３のパケットの第１のスロットセットを前記アクセスネットワークに送信する手段と
を備える装置。
【請求項１７】
第１のスロットセットと第２のスロットセットとを含む第１のパケットの前記第１のスロットセットをアクセスネットワークに送信する手段と、
前記第１のパケットの前記第１のスロットセットが送信された直後、第２のパケットの第１のスロットセットを前記アクセスネットワークに送信する手段と、
前記アクセスネットワークからの第１のパケットの第１のスロットセットの正しい又は正しくない解読に応じたアクノレッジメント（ＡＣＫ）又はネガティブなアクノレッジメント（ＮＡＫ）が受信されたのかを判定する手段と、
ここにおいて、前記第１のパケットの前記第１のスロットセットは、前記第２のパケットの前記第１のスロットセットとは独立して、前記アクセスネットワークによって、アクノレッジされ、
前記ＮＡＫが受信された場合、前記第１のパケットの前記第２のスロットセットを送信する手段と
を備える装置。
【請求項１８】
アクセス端末からの、第１のスロットセットと第２のスロットセットとを含む第１のパケットの前記第１のスロットセットを受信する手段と、
前記第１のパケットの前記第１のスロットセットが受信された直後、前記アクセス端末からの第２のパケットの第１のスロットセットを受信する手段と、
前記受信された第１のパケットの第１のスロットセットの解読を試みる手段と、
前記受信された第１のパケットの第１のスロットセットが正しく解読されたかを判定する手段と、
前記受信された第１のパケットの第１のスロットセットが正しく解読された場合、アクノレッジメント（ＡＣＫ）を前記アクセス端末に送信する手段と
を備え、
ここにおいて、前記第１のパケットの前記第１のスロットセットは、前記第２のパケットの前記第１のスロットセットとは独立して、前記アクセスネットワークによって、アクノレッジされる、
装置。
【請求項１９】
第１のスロットセットと第２のスロットセットとを含む第１のパケットの前記第１のスロットセットをアクセス端末によってアクセスネットワークに送信し、
前記第１のパケットの前記第１のスロットセットが送られた直後、第２のパケットの第１のスロットセットを前記アクセス端末によって前記アクセスネットワークに送信し、
前記アクセスネットワークからの第１のパケットの第１のスロットセットの正しい又は正しくない解読に応じたアクノレッジメント（ＡＣＫ）又はネガティブなアクノレッジメント（ＮＡＫ）が前記アクセス端末によって受信されたのかを前記アクセス端末によって判定し、ここにおいて、前記第１のパケットの前記第１のスロットセットは、前記第２のパケットの前記第１のスロットセットとは独立して、前記アクセスネットワークによって、アクノレッジされ、
前記ＡＣＫが受信された場合、前記アクセス端末によって、第３のパケットの第１のスロットセットを送信するためのプロセッサ実行可能命令群を備えるプロセッサ読取可能媒体。
【請求項２０】
第１のスロットセットと第２のスロットセットとを含む第１のパケットの前記第１のスロットセットをアクセス端末によってアクセスネットワークに送信し、
前記第１のパケットの前記第１のスロットセットが送られた直後、第２のパケットの第１のスロットセットを前記アクセス端末によって前記アクセスネットワークに送信し、
前記アクセスネットワークからの第１のパケットの第１のスロットセットの正しい又は正しくない解読に応じたアクノレッジメント（ＡＣＫ）又はネガティブなアクノレッジメント（ＮＡＫ）が前記アクセス端末によって受信されたのかを前記アクセス端末によって判定し、
ここにおいて、前記第１のパケットの前記第１のスロットセットは、前記第２のパケットの前記第１のスロットセットとは独立して、前記アクセスネットワークによって、アクノレッジされる
前記ＮＡＫが受信された場合、前記アクセス端末によって第１のパケットの第２のスロットセットを送信するためのプロセッサ実行可能命令群を備えるプロセッサ読取可能媒体。
【請求項２１】
アクセス端末からの、第１のスロットセットと第２のスロットセットとを含む第１のパケットの前記第１のスロットセットをアクセスネットワークによって受信し、
前記第１のパケットの前記第１のスロットセットが受信された直後、前記アクセス端末からの第２のパケットの第１のスロットセットを前記アクセスネットワークによって受信し、
前記受信された第１のパケットの第１のスロットセットの解読を前記アクセスネットワークによって試み、
前記受信された第１のパケットの第１のスロットセットが正しく解読されたかを前記アクセスネットワークによって判定し、
前記アクセスネットワークが前記受信された第１のパケットの第１のスロットセットを正しく解読した場合、前記アクセスネットワークによってアクノレッジメント（ＡＣＫ）をアクセス端末に送信するためのプロセッサ実行可能命令群を備え、
ここにおいて、前記第１のパケットの前記第１のスロットセットは、前記第２のパケットの前記第１のスロットセットとは独立して、前記アクセスネットワークによって、アクノレッジされる、
プロセッサ読取可能媒体。
【請求項２２】
請求項１に記載の方法において更に、前記アクセスネットワークからの前記第２のパケットの前記第１のスロットセットの正しい又は正しくない解読にそれぞれ対応するＡＣＫ又はＮＡＫが前記アクセス端末によって受信されたのかを、前記アクセス端末によって、判定すること、を備える方法。
【請求項２３】
請求項５に記載の方法において、更に、前記アクセスネットワークからの前記第２のパケットの前記第１のスロットセットの正しい又は正しくない解読にそれぞれ対応するＡＣＫ又はＮＡＫが前記アクセス端末によって受信されたのかを、前記アクセス端末によって判定することを備える方法。
【請求項２４】
請求項８に記載の方法において、更に、前記アクセス端末からの前記第２のパケットの前記第１のスロットセットの正しい又は正しくない解読にそれぞれ対応するＡＣＫ又はＮＡＫを、前記アクセスネットワークによって送信することを備える方法。
【請求項２５】
請求項１２に記載のアクセス端末において、
前記受信されたＡＣＫ又はＮＡＫは、前記第１のパケットの前記第１のスロットセットに対応し、
前記無線周波数ユニットは、更に、前記第２のパケットの前記第１のスロットセットの正しい又は正しくない解読にそれぞれ対応するＡＣＫ又はＮＡＫを受信するように構成される、アクセス端末。
【請求項２６】
請求項２５に記載のアクセス端末において、
前記無線周波数ユニットは、更に、前記第３のパケットの前記第１のスロットセットの正しい又は正しくない解読にそれぞれ対応するＡＣＫ又はＮＡＫを受信するように構成される、アクセス端末。
【請求項２７】
請求項１３に記載のアクセスネットワークにおいて、前記無線周波数ユニットは、更に、前記第２のパケットの前記第１のスロットセットの正しい又は正しくない解読にそれぞれ対応するＡＣＫ又はＮＡＫを送信するように構成される、アクセスネットワーク。
【請求項２８】
請求項１６に記載の装置において、更に、アクセスネットワークからの前記第２のパケットの前記第１のスロットセットの正しい又は正しくない解読にそれぞれ対応するＡＣＫ又はＮＡＫが受信されたのかを判定する手段を備える、装置。
【請求項２９】
請求項２８に記載の装置において、更に、アクセスネットワークからの前記第３のパケットの前記第１のスロットセットの正しい又は正しくない解読にそれぞれ対応するＡＣＫ又はＮＡＫが受信されたのかを判定する手段を備える、装置。
【請求項３０】
請求項１７に記載の装置において、更に、アクセスネットワークからの前記第２のパケットの前記第１のスロットセットの正しい又は正しくない解読にそれぞれ対応するＡＣＫ又はＮＡＫが受信されたのかを判定する手段を備える、装置。
【請求項３１】
請求項１８に記載の装置において、更に、前記受信された第２のパケットの第１のスロットセットが正しく解読された場合、前記アクセス端末へＡＣＫを送信する手段を備える、装置。
【請求項３２】
請求項１９に記載のプロセッサ読取可能媒体において、更に、
アクセスネットワークからの前記第２のパケットの前記第１のスロットセットの正しい又は正しくない解読にそれぞれ対応するＡＣＫ又はＮＡＫが前記アクセス端末によって受信されたのかを、前記アクセス端末によって、判定するためのプロセッサ実行可能命令群を備える、プロセッサ読取可能媒体。
【請求項３３】
請求項３２に記載のプロセッサ読取可能媒体において、更に、
アクセスネットワークからの前記第３のパケットの前記第１のスロットセットの正しい又は正しくない解読にそれぞれ対応するＡＣＫ又はＮＡＫが前記アクセス端末によって受信されたのかを、前記アクセス端末によって、判定するためのプロセッサ実行可能命令群を備える、プロセッサ読取可能媒体。
【請求項３４】
請求項２０に記載のプロセッサ読取可能媒体において、更に、
アクセスネットワークからの前記第２のパケットの前記第１のスロットセットの正しい又は正しくない解読にそれぞれ対応するＡＣＫ又はＮＡＫが前記アクセス端末によって受信されたのかを、前記アクセス端末によって、判定するためのプロセッサ実行可能命令群を備える、プロセッサ読取可能媒体。
【請求項３５】
請求項２１に記載のプロセッサ読取可能媒体において、更に、
アクセス端末からの前記第２のパケットの前記第１のスロットセットの正しい又は正しくない解読にそれぞれ対応するＡＣＫ又はＮＡＫを、前記アクセス端末によって、送信するためのプロセッサ実行可能命令群を備える、プロセッサ読取可能媒体。